(57)【特許請求の範囲】
【請求項１】
吸収体を有する内装体と、
腹側部分、股間部分、及び背側部分を有する外装体と、
前記腹側部分の両側端部及び前記背側部分の両側端部が接合されて形成された一方のサイドシール部及び他方のサイドシール部と、
これらのサイドシール部の形成に伴って形成されたウエスト開口部並びに一方のレッグ開口部及び他方のレッグ開口部と、
が備わるパンツタイプ使い捨ておむつであって、
前記一方のサイドシールの上端部を軸支したことで、当該軸支部を中心に前記パンツタイプ使い捨ておむつが傾いた場合においても、前記他方のサイドシール部の外側端縁の傾き角が水平面に対して８０°以上であり、
製品状態で、一方及び他方のサイドシール部における、下端部の外側が上端部内側に対して、２０〜９０ｍｍ幅方向外方に位置し、
前記吸収体は、吸収体の幅が前後方向両端部よりも前後方向中心部において狭まり、当該前後方向中心部において吸収体が積層された複数層構造を有し、吸収体の２〜１６ｍｍの前後方向中心部の厚さが、１〜８ｍｍの前後方向両端部の厚さよりも厚く、
上下方向に関して、質量中心が距離的中心よりも所定長下方に位置している、
ことを特徴とするパンツタイプ使い捨ておむつ。
【請求項２】
前記一方のサイドシール部から前記一方のレッグ開口部の周縁に沿って前記股間部分に至り、当該股間部分を横断し、当該股間部分から前記他方のレッグ開口部の周縁に沿って前記他方のサイドシール部に至る湾曲伸縮部材が備わり、
この湾曲伸縮部材は、前記使い捨ておむつの下端縁から１００ｍｍ以内の領域を通らない、
請求項１記載のパンツタイプ使い捨ておむつ。
【請求項３】
前記湾曲伸縮部材は、幅方向中心から両外方にそれぞれ１００ｍｍ以内の領域において複数の箇所で切断されている、
請求項２記載のパンツタイプ使い捨ておむつ。
【請求項４】
前記湾曲伸縮部材の上下方向に関する伸長率が、１００〜１２０％である、
請求項２又は請求項３に記載のパンツタイプ使い捨ておむつ。
【請求項５】
前記一方のサイドシール部から前記一方のレッグ開口部の周縁に沿って前記股間部分に至り、当該股間部分を横断し、当該股間部分から前記他方のレッグ開口部の周縁に沿って前記他方のサイドシール部に至る湾曲伸縮部材が備わり、
この湾曲伸縮部材は、前記使い捨ておむつの下端縁から１００ｍｍ以内の領域において複数の箇所で切断されている、
請求項１記載のパンツタイプ使い捨ておむつ。
【発明の詳細な説明】
【技術分野】
【０００１】
本発明は、パンツタイプ使い捨ておむつに関するものである。
【背景技術】
【０００２】
パンツタイプ使い捨ておむつ（以下、「おむつ」ともいう。）としては、吸収体を有する内装体及び外装体を有し、外装体の両側端部が接合されて、ウエスト開口部及びレッグ開口部が形成されたものが存在する。また、この種のおむつには、身体へのフィット性を向上させるために、外装体に対して、ウエスト部弾性部材、腰部弾性部材、湾曲弾性部材等の弾性部材が伸長状態で固定されるのが一般的である（例えば、特許文献１、２等）。この弾性部材の固定位置、方法等は、日々改善されており、近年では、フィット性に極めて優れるパンツタイプ使い捨ておむつが開発されるに至っている。
【０００３】
しかるに、この従来のおむつは、装着後のフィット性には優れるものの、装着自体には改善の余地があった。すなわち、装着を自身で行う場合において、両手での装着が困難な場合があるが、従来のおむつは、第三者、あるいは両手で装着するように設計されていたため、片手で装着するのが容易でなかった。
【先行技術文献】
【特許文献】
【０００４】
【特許文献１】特開２０１１−２０６２６９号公報
【特許文献２】特開２０１０−１４２４９９号公報
【発明の概要】
【発明が解決しようとする課題】
【０００５】
発明が解決しようとする主たる課題は、片手でも容易に装着することができるパンツタイプ使い捨ておむつを提供することにある。
【課題を解決するための手段】
【０００６】
前記課題を解決するための手段は、次のとおりである。
（手段１）
吸収体を有する内装体と、
腹側部分、股間部分、及び背側部分を有する外装体と、
前記腹側部分の両側端部及び前記背側部分の両側端部が接合されて形成された一方のサイドシール部及び他方のサイドシール部と、
これらのサイドシール部の形成に伴って形成されたウエスト開口部並びに一方のレッグ開口部及び他方のレッグ開口部と、
が備わるパンツタイプ使い捨ておむつであって、
前記一方のサイドシールの上端部を軸支したことで、当該軸支部を中心に前記パンツタイプ使い捨ておむつが傾いた場合においても、前記他方のサイドシール部の外側端縁の傾き角が水平面に対して８０°以上である、
ことを特徴とするパンツタイプ使い捨ておむつ。
【０００７】
（手段２）
上下方向に関して、質量中心が距離的中心よりも所定長下方に位置している、
前記手段１のパンツタイプ使い捨ておむつ。
【０００８】
（手段３）
前記一方のサイドシール部から前記一方のレッグ開口部の周縁に沿って前記股間部分に至り、当該股間部分を横断し、当該股間部分から前記他方のレッグ開口部の周縁に沿って前記他方のサイドシール部に至る湾曲伸縮部材が備わり、
この湾曲伸縮部材は、前記使い捨ておむつの下端縁から１００ｍｍ以内の領域を通らない、
前記手段１又は前記手段２のパンツタイプ使い捨ておむつ。
【０００９】
（手段４）
前記湾曲伸縮部材は、幅方向中心から両外方にそれぞれ１００ｍｍ以内の領域において複数の箇所で切断されている、
前記手段３のパンツタイプ使い捨ておむつ。
【００１０】
（手段５）
前記湾曲伸縮部材の上下方向に関する伸長率が、１００〜１２０％である、
前記手段３又は前記手段４のパンツタイプ使い捨ておむつ。
【００１１】
（手段６）
前記一方のサイドシール部から前記一方のレッグ開口部の周縁に沿って前記股間部分に至り、当該股間部分を横断し、当該股間部分から前記他方のレッグ開口部の周縁に沿って前記他方のサイドシール部に至る湾曲伸縮部材が備わり、
この湾曲伸縮部材は、前記使い捨ておむつの下端縁から１００ｍｍ以内の領域において複数の箇所で切断されている、
前記手段１又は前記手段２のパンツタイプ使い捨ておむつ。
【００１２】
（手段７）
前記吸収体の幅が、前後方向両端部よりも前後方向中心部において狭まり、
前記吸収体の目付けが、前記前後方向中心部≧前記前後方向両端部の関係を満たす、
前記手段１〜６のいずれかのパンツタイプ使い捨ておむつ。
【００１３】
（手段８）
前記一方のサイドシール部及び前記他方のサイドシール部は、それぞれ上端部よりも下端部が所定の寸法だけ幅方向外方に位置する、
前記手段１〜７のいずれかのパンツタイプ使い捨ておむつ。
【００１４】
（手段９）
前記所定長が、５０ｍｍ以上である、
前記手段２のパンツタイプ使い捨ておむつ。
【００１５】
（手段１０）
前記吸収体の幅が、前後方向両端部よりも前後方向中心部において狭まり、
前記吸収体の目付けが、前記前後方向両端部よりも前記前後方向中心部において増え、
前記前後方向中心部の目付けが、２００〜７００ｇ／ｍ2で、
前記前後方向両端部の目付けが、１００〜３５０ｇ／ｍ2である、
前記手段１〜９のいずれかのパンツタイプ使い捨ておむつ。
【００１６】
（手段１１）
前記吸収体の幅が、前後方向両端部よりも前後方向中心部において狭まり、
前記吸収体の厚さが、前記前後方向両端部よりも前記前後方向中心部において厚くなり、
前記前後方向中心部の厚さが、２〜１６ｍｍで、
前記前後方向両端部の厚さが、１〜８ｍｍである、
前記手段１〜１０のいずれかのパンツタイプ使い捨ておむつ。
【００１７】
（手段１２）
前記吸収体の幅が、前後方向両端部よりも前後方向中心部において広くなり、
前記前後方向中心部の幅が、１５０〜２００ｍｍで、
前記前後方向両端部の幅が、７５〜１００ｍｍである、
前記手段１〜６のいずれかのパンツタイプ使い捨ておむつ。
【００１８】
（手段１３）
前記所定の寸法が、２０〜９０ｍｍである、
前記手段８のパンツタイプ使い捨ておむつ。
【００１９】
（手段１４）
前記外装体の腹側部分及び背側部分には、前記ウエスト開口部側端部において幅方向に延在するウエスト部伸縮部材と、このウエスト部伸縮部材の下方において幅方向に延在する腰部伸縮部材と、が備わり、
前記ウエスト部伸縮部材の伸長率が、２５５〜３３０％で、
前記腰部伸縮部材の伸長率が、２００〜３００％である、
前記手段８又は前記手段１３のパンツタイプ使い捨ておむつ。
【００２０】
（手段１５）
前記内装体の内面両側端部に立体ギャザーが備わり、
この立体ギャザーの起立高さが、３０ｍｍ以上である、
前記手段１〜１４のいずれかのパンツタイプ使い捨ておむつ。
【００２１】
（手段１６）
前記内装体は、透液性のトップシート及び不透液性のバックシートを有し、
こられのシート間に前記吸収体が介在されている、
前記手段１〜１５のいずれかのパンツタイプ使い捨ておむつ。
【００２２】
（手段１７）
前記一方のサイドシール部から前記一方のレッグ開口部の周縁に沿って前記股間部分に至り、当該股間部分を横断し、当該股間部分から前記他方のレッグ開口部の周縁に沿って前記他方のサイドシール部に至る湾曲伸縮部材が備わる、
前記手段１〜１６のいずれかのパンツタイプ使い捨ておむつ。
【００２３】
（手段１８）
前記湾曲伸縮部材は、上下方向に間隔をおいた複数本からなる、
前記手段１７のパンツタイプ使い捨ておむつ。
【００２４】
（手段１９）
前記間隔が、４〜２５ｍｍである、
前記手段１８のパンツタイプ使い捨ておむつ。
【００２５】
（手段２０）
前記外装体の腹側部分及び背側部分には、前記ウエスト開口部側端部において幅方向に延在するウエスト部伸縮部材が備わる、
前記手段１〜１９のいずれかのパンツタイプ使い捨ておむつ。
【００２６】
（手段２１）
前記外装体の腹側部分及び背側部分には、前記レッグ開口部側において幅方向に延在する腰部伸縮部材が備わる、
前記手段１〜２０のいずれかのパンツタイプ使い捨ておむつ。
【００２７】
（手段２２）
前記外装体が、少なくとも内側シート及び外側シートを含む複数枚の積層シートで形成されている、
前記手段１〜２１のいずれかのパンツタイプ使い捨ておむつ。
【００２８】
（手段２３）
前記湾曲伸縮部材、前記ウエスト部伸縮部材、及び前記腰部伸縮部材の少なくともいずれかは、前記内側シートと前記外側シートとの間に介在されている、
前記手段２２のパンツタイプ使い捨ておむつ。
【００２９】
（手段２４）
前記吸収体の幅が、前後方向両端部よりも前後方向中心部において狭まる、
前記手段１〜２３のいずれかのパンツタイプ使い捨ておむつ。
【００３０】
（手段２５）
前記吸収体の目付けが、前記前後方向両端部よりも前記前後方向中心部において増える、
前記手段２４のパンツタイプ使い捨ておむつ。
【００３１】
（手段２６）
前記吸収体の厚さが、前記前後方向両端部よりも前記前後方向中心部において厚くなる、
前記手段２４又は前記手段２５のパンツタイプ使い捨ておむつ。
【００３２】
（手段２７）
前記吸収体の幅が、前後方向両端部よりも前後方向中心部において広くなる、
前記手段１〜２３のいずれかのパンツタイプ使い捨ておむつ。
【００３３】
（手段２８）
前記内装体の内面両側端部に立体ギャザーが備わる、
前記手段１〜２７のいずれかのパンツタイプ使い捨ておむつ。
【００３４】
（主な作用効果）
上記手段によると、おむつを装着するに際して、おむつを片手で掴んだ場合においても、おむつの傾きが小さくなるため、装着が容易となる。その具体的理由については、後述する。
【発明の効果】
【００３５】
発明によると、片手でも容易に装着することができるパンツタイプ使い捨ておむつとなる。
【図面の簡単な説明】
【００３６】
【図１】展開状態のパンツタイプ使い捨ておむつの平面図（内面側）である。
【図２】展開状態のパンツタイプ使い捨ておむつの平面図（外面側）である。
【図３】図１のＩＩＩ−ＩＩＩ断面図である。
【図４】図１のＩＶ−ＩＶ断面図である。
【図５】製品状態のパンツタイプ使い捨ておむつの正面図である。
【図６】パンツタイプ使い捨ておむつを軸支（例えば、片手で保持）したときの正面図であり、（１）は本形態例、（２）は従来例である。
【図７】製品状態のパンツタイプ使い捨ておむつの正面図の変形例である。
【図８】吸収体の平面図の形態例である。
【図９】吸収体の側面図の形態例である。
【図１０】製品状態のパンツタイプ使い捨ておむつの正面図の従来例である。
【図１１】パンツタイプ使い捨ておむつを説明する際に使用する「方向」の意味を説明するための図面であり、（１）は展開状態の場合、（２）は製品状態の場合に関するものである。
【発明を実施するための形態】
【００３７】
次に、発明を実施するための形態を説明する。
なお、以下では、まず、おむつの全体構造、素材、等について説明し、その後に、片手持ちを可能とするための構造について説明する。
【００３８】
（定義）
本明細書においては、以下のように定義する。
展開状態とは、腹側部分の両側端部及び背側部分の両側端部が接合される前、つまり、サイドシール部が形成される前のおむつの状態を意味する。例えば、図１や図２の状態が展開状態である。
製品状態とは、腹側部分の両側端部及び背側部分の両側端部が接合された後、つまり、サイドシール部が形成された後のおむつの状態を意味する。例えば、図５や図７の状態が製品状態である。
前後方向とは、図１１の（１）に模式的に示すように、展開状態にあるおむつにおいて、腹側部分Ｆから股間部分Ｃを通り背側部分Ｂに向かう方向、あるいは背側部分Ｂから股間部分Ｃを通り腹側部分Ｆに向かう方向を意味する。同図中においては、前後方向を符号ＹＤで示す。
上下方向とは、図１１の（２）に模式的に示すように、製品状態にあるおむつにおいて、腹側部分Ｆや背側部分Ｂから股間部分Ｃに向かう方向、あるいは股間部分Ｃから腹側部分Ｆや背側部分Ｂに向かう方向を意味する。同図中においては、上下方向を符号ＺＤで示す。したがって、ウエスト開口部に近位する側が「上側」であり、ウエスト開口部から遠位する側が「下側」である。また、股間部分Ｃから腹側部分Ｆや背側部分Ｂに向かう方向が「上方」であり、腹側部分Ｆや背側部分Ｂから股間部分Ｃに向かう方向が「下方」である。
幅方向とは、展開状態においては前後方向ＹＤに直交する方向、製品状態においては上下方向に直交する方向を意味する。図１１の（１）及び（２）においては、幅方向を符号ＸＤで示す。
幅方向内方とは、幅方向に関して中心に近付く方向を意味する。必要により、幅方向内側、あるいは単に内方ともいう。
幅方向外方とは、幅方向に関して中心から遠ざかる方向を意味する。必要により、幅方向外側、あるいは単に外方ともいう。
内面とは、装着者の肌に当接する側の面を意味する。必要により、表面、肌面ともいう。
外面とは、内面とは反対側の面を意味する。必要により、裏面、非肌面ともいう。
腹側部分とは、装着時に装着者の腹側に位置する部分であって、展開状態においては前後方向に関してサイドシール部が形成される部分に対応する部分、製品状態においては上下方向に関してサイドシール部が形成された部分に対応する部分を意味する。
背側部分とは、装着時に装着者の背側に位置する部分であって、展開状態においては前後方向に関してサイドシール部が形成される部分に対応する部分、製品状態においては上下方向に関してサイドシール部が形成された部分に対応する部分を意味する。
股間部分とは、腹側部分と背側部分との間に位置する部分である。なお、股間部分の一部が装着者の腹部や背中を覆わないことまでをも意味するものではない。
伸長率とは、自然長を１００％としたときの値を意味する。例えば、自然長が１０ｃｍのもの（弾性部材等）を１５ｃｍに伸ばした場合の伸長率は、１５０％である。
【００３９】
（全体構造）
図１〜図５に示すように、本形態のおむつは、内装体１０と、この内装体１０の外面に固定された外装体４と、を有する。内装体１０は、液透過性のトップシート１と、液不透過性のバックシート２と、これら１，２の間に介在された吸収体３と、を有する。外装体４は、バックシート２の外面全体を覆い、更にバックシート２の外周縁より外側（外方）まで延在している。外装体４は、装着者の腹側を覆う腹側部分Ｆと、股間部を覆う股間部分Ｃと、背中側を覆う背側部分Ｂと、に識別することができる。
【００４０】
おむつを製造するにあたっては、例えば、内装体１０及び外装体４をホットメルト等の接着剤によって接合し、一体化する。一体化した内装体１０及び外装体４は、前後方向ＹＤの中心線で折り畳む（谷折り）。そして、腹側部分Ｆの両側端部と、背側部分Ｂの両側端部とを、ホットメルト等の接着剤や、熱、超音波等による溶着、等によって接合する。この接合によって、おむつが展開状態から製品状態になり、図５に示すように、一対のサイドシール部（一方のサイドシール部及び他方のサイドシール部）７が形成される。このサイドシール部７は、上下方向ＺＤに延在し、腹側部分Ｆ及び背側部分Ｂの境界部分にもなる。サイドシール部７の形成に際しては、サイドシール部７の上端側にウエスト開口部ＷＯが、サイドシール部７の下端側に一対のレッグ開口部（一方のレッグ開口部及び他方のレッグ開口部）ＬＯが、それぞれ形成される。
【００４１】
（トップシート）
トップシート１は、尿等の体液を透過する液透過性である。トップシート１は、例えば長方形状であり、吸収体３の外周縁より外側（外方）まで延在する。トップシート１は、吸収体３の両側端縁より外側に延在する部分が、バックシート２とホットメルト等の接着剤によって接合されている。トップシート１は、必要により、吸収体３の両側縁部を巻き込んで吸収体３の裏面側まで延在させることができる。
【００４２】
トップシート１としては、例えば、有孔又は無孔の不織布や、多孔性（穴あき）プラスチックシート等を使用することができる。不織布の素材繊維としては、例えば、ポリエチレン又はポリプロピレン等のオレフィン系、ポリエステル系、アミド系等による合成繊維のほか、レーヨンやキュプラ等による再生繊維、綿等による天然繊維、等を使用することができる。不織布の加工方法としては、スパンレース法、スパンボンド法、ＳＭＳ法、サーマルボンド法、メルトブローン法、ニードルパンチ法、エアスルー法、ポイントボンド法、等の公知の加工方法を採用することができる。
【００４３】
トップシート１の繊維目付けは、例えば１５〜３０ｇ／ｍ2、好ましくは１８〜２８ｇ／ｍ2、より好ましくは２０〜２５ｇ／ｍ2である。トップシート１の厚みは、例えば０．０５〜３．０ｍｍ、好ましくは０．１〜２．０ｍｍ、より好ましくは０．５〜１．５ｍｍである。
【００４４】
（バックシート）
バックシート２は、尿等の体液を透過しない液不透過性である。バックシート２は、例えば長方形状であり、吸収体３の外周縁より外側まで延在する。バックシート２は、吸収体３の両側端縁より外側に延在する部分が、トップシート１とホットメルト等の接着剤によって接合されている。
【００４５】
バックシート２は、吸収体３が吸収した尿等の体液の裏面側への移動（通り抜け）を防止する機能を有する。したがって、バックシート２としては、ポリエチレンフィルム、ポリプロピレンフィルム等の液不透過性のプラスチックフィルムを使用するのが好ましい。ただし、ムレ防止を考慮すると、遮水性（液不透過性）及び透湿性を有するシートを使用するのがより好ましい。遮水性及び透湿性を有するシートとしては、例えば、微多孔性シートを使用することができる。微多孔性シートは、例えば、ポリエチレンやポリプロピレン等のオレフィン系樹脂中に無機充填材を溶融混練してシートを形成し、更に一軸又は二軸方向に延伸することで得ることができる。
【００４６】
バックシート２の単位面積当たりの質量は、例えば１３〜４０ｇ／ｍ2、好ましくは１３〜３０ｇ／ｍ2、より好ましくは１３〜２５ｇ／ｍ2である。バックシート２の厚みは、例えば０．０１〜０．１ｍｍ、好ましくは０．０２〜０．０７ｍｍ、より好ましくは０．０３〜０．０５ｍｍである。
【００４７】
（吸収体）
吸収体３は、尿等の体液を吸収する部材である。吸収体３は、前後方向ＹＤの中心に位置している。吸収体３は、必要によりクレープ紙等の液透過性及び液保持性を有する包装材によって包むことができる。
【００４８】
吸収体３としては、例えば、パルプ繊維の積繊体、セルロースアセテート等のフィラメントの集合体、不織布、等を基本素材としつつ、必要に応じて高吸収性ポリマー等を混合したものを使用することができる。なお、吸収体３の詳細については、後述する。
【００４９】
（立体ギャザー）
内装体１０の内面両側端部には、それぞれ立体ギャザーＲＧが備わる。立体ギャザーＲＧは、脚周りにおいて尿等の体液が漏れるのを防止する機能を有する。
【００５０】
立体ギャザーＲＧは、図３中に拡大して示すように、２枚のシートが積層されてなるギャザーシート５と、当該２枚のシート間に介在された弾性を有する細長状のギャザー伸縮部材５ｇと、を構成要素とする。
【００５１】
ギャザーシート５は、バックシート２の裏面側から吸収体３の両側縁部を巻き込んで吸収体３の表面側まで延在する固定部分と、この固定部分から幅方向内方へ延在し、更に折返し部５Ｂで折り返されて幅方向外方へ延在する本体部分と、を有する。固定部分は、前後方向ＹＤの全長が内装体１０に固定されている。一方、本体部分は、前後方向ＹＤの両端部（前後端部）のみが倒伏状態で内装体１０に固定されて非起立部になっている。この非起立部間（前後方向ＹＤの中心部）は、ギャザー伸縮部材５ｇの収縮力によって内装体１０の表面から自由に起立する起立部である。なお、図３中に、起立状態にある立体ギャザーＲＧを二点鎖線で示す。ギャザーシート５の固定は、ホットメルト等の接着剤によって行うことができる。
【００５２】
図示例のギャザーシート５は、図３中に拡大して示すように、１枚のシートが折り返されてなる２層構造になっている。ただし、ギャザーシート５は、２枚のシートが積層されてなる２層構造とすることや、３枚以上のシートが積層されてなる３層以上の複数層構造、１枚のシートのみからなる単層構造とすることもできる。
【００５３】
ギャザーシート５としては、例えば、不織布（好ましくはスパンボンド不織布）、プラスチックフィルム、不織布及びプラスチックフィルムの積層シート、等を使用することができる。ただし、感触性の観点からは、撥水処理を施した不織布を使用するのが好ましい。
【００５４】
ギャザーシート５の単位面積当たりの質量は、例えば１３〜４０ｇ／ｍ2、好ましくは１３〜３０ｇ／ｍ2、より好ましくは１５〜２５ｇ／ｍ2である。ギャザーシート５の厚みは、例えば０．１〜４．０ｍｍ、好ましくは０．２〜３．０ｍｍ、より好ましくは０．５〜２．０ｍｍである。
【００５５】
ギャザー伸縮部材５ｇは、前後方向ＹＤに伸長した状態でホットメルト等の接着剤によってギャザーシート５に固定されている。ギャザー伸縮部材５ｇは、糸状、紐状、帯状等の細長状であり、所定の間隔をおいた複数本で構成している。ただし、ギャザー伸縮部材５ｇは、１本で構成しても、複数本を束にして構成してもよい。
【００５６】
ギャザー伸縮部材５ｇを複数本で構成する場合、その数は、例えば２〜１０本、好ましくは３〜８本、より好ましくは４〜６本である。また、ギャザー伸縮部材５ｇの配置間隔は、例えば２〜１５ｍｍ、好ましくは３〜１０ｍｍ、より好ましくは５〜８ｍｍである。
【００５７】
ギャザー伸縮部材５ｇは、天然ゴムのほか、例えば、スチレン系ゴム、オレフィン系ゴム、ウレタン系ゴム、エステル系ゴム、ポリウレタン系ゴム、ポリエチレン系ゴム、ポリスチレン系ゴム、スチレンブタジエン系ゴム、シリコン系ゴム、ポリエステル系ゴム等の合成ゴムで構成することができる。
【００５８】
ギャザー伸縮部材５ｇの太さは、例えば４００〜１５００ｄｔｅｘ、好ましくは５００〜１２００ｄｔｅｘ、より好ましくは６００〜１０００ｄｔｅｘである。特に天然ゴムの場合は、０．１〜３ｍｍ、好ましくは０．５〜３ｍｍ、より好ましくは１〜３ｍｍである。
【００５９】
（外装シート）
外装シート４は、内側シート４Ａ及び外側シート４Ｂが積層されてなる積層シートで形成されている。外装シート４は、トップシート１やバックシート２の外周縁（上下端縁及び両側端縁）よりも外側まで延在している。ただし、図３に示すように、内側シート４Ａ及び外側シート４Ｂの両側端縁は一致しているが、図４に示すように、内側シート４Ａ及び外側シート４Ｂの上下端縁は一致していない。外側シート４Ｂの上下端部は、内側シート４Ａの上下端縁をそれぞれ巻き込むように折り返され、折返し部４Ｃが形成されている。したがって、内側シート４Ａ及び外側シート４Ｂの両側端縁及び外側シート４Ｂの折返し縁が、おむつの外周縁を構成している。
【００６０】
外装シート４としては、トップシート１と同様の不織布を使用することもできるが、スパンボンド不織布を使用するのが好ましい。外装シート４として不織布を使用することで、おむつの外面が布のような外観、肌触りになる。
【００６１】
外装シート４は、３枚以上の複数枚のシートを積層して形成することや、バックシート２の形状を適宜変更したうえで省略することもできる。
【００６２】
外装シート４の単位面積当たりの質量は、例えば１３〜４０ｇ／ｍ2、好ましくは１５〜３０ｇ／ｍ2、より好ましくは１８〜２５ｇ／ｍ2である。外装シート４の厚みは、例えば０．１〜４．０ｍｍ、好ましくは０．２〜３．０ｍｍ、より好ましくは０．５〜２．０ｍｍである。
【００６３】
外装体４の製造方法としては、特開平４−２８３６３号公報や、特開平１１−３３２９１３号公報に記載の製造方法を採用することができ、この製造方法は、引用により本明細書に取り込まれる。
【００６４】
（カバーシート）
内装体１０の内面前後端部には、それぞれカバーシート６が備わる。幅方向ＸＤに関しては、カバーシート６の両側端縁が、外装体４の両側端縁と一致している。他方、前後方向ＹＤに関しては、カバーシート６が、折返し部４Ｃの内面（露出面）から内装体１０の腹側部分Ｆ、又は背側部分Ｂと直接重なる位置まで延在している。カバーシート６は、折返し部４Ｃ及び内装体１０にホットメルト等の接着剤によって接合されている。ただし、カバーシート６の前後方向中心側（股間部分Ｃに近位する側）端部に、ホットメルト等の接着剤によって接合されない非接合部分を設けることもできる。非接合部分は、内装体１０から浮き上がり、尿等の体液が漏れるのを防止する防漏壁として機能する。
【００６５】
カバーシート６は、必要により省略することもできる。この場合、外装体４の折返し部４Ｃを長くすることで、カバーシート６と同様の機能を得ることもできる。
【００６６】
カバーシート６の単位面積当たりの質量は、例えば１３〜４０ｇ／ｍ2、好ましくは１５〜３０ｇ／ｍ2、より好ましくは１８〜２５ｇ／ｍ2である。カバーシート６の厚みは、例えば０．１〜４．０ｍｍ、好ましくは０．２〜３．０ｍｍ、より好ましくは０．５〜２．０ｍｍである。
【００６７】
（ウエスト部伸縮部材）
外装体４の腹側部分Ｆ及び背側部Ｂには、ウエスト開口部側端部（ウエスト開口部ＷＯに近位する側の端部）において幅方向ＸＤに延在するウエスト部伸縮部材６ｇが備わる。このウエスト部伸縮部材６ｇは、外側シート４Ｂと折返し部４Ｃとの間に介在されている。ただし、必要により、外側シート４Ｂと内側シート４Ａとの間に介在させることもできる。ウエスト部伸縮部材６ｇは、幅方向ＹＤに伸長した状態でホットメルト等の接着剤によって外装シート４（外側シート４Ｂ及び／又は折返し部４Ｃ）に固定されている。
【００６８】
ウエスト部伸縮部材６ｇは、上下方向ＺＤに関して、一対のサイドシール７間に位置している。このウエスト部伸縮部材６ｇは、後述する腰部伸縮部材４ｇと共に腰周りにおけるフィット性を高めるものであるが、おむつが片手持ち装着に適するものとなるようにするための部材として機能させることができる。
【００６９】
ウエスト部伸縮部材６ｇは、糸状、紐状、帯状等の細長状であり、上下方向ＺＤ（前後方向ＹＤ）に所定の間隔をおいた複数本で構成している。ただし、ウエスト部伸縮部材６ｇは、１本で構成しても、複数本を束にして構成してもよい。ウエスト部伸縮部材６ｇを複数本で構成する場合、その数は、例えば２〜１０本、好ましくは３〜８本、より好ましくは５〜８本である。また、上下方向ＺＤ（前後方向ＹＤ）に関する配置間隔（前記所定の間隔）は、例えば３〜３０ｍｍ、好ましくは４〜１５ｍｍ、より好ましくは７〜１５ｍｍである。
【００７０】
ウエスト部伸縮部材６ｇは、ギャザー伸縮部材５ｇで例示したのと同様の素材で構成することができる。ウエスト部伸縮部材６ｇの太さは、例えば４００〜１５００ｄｔｅｘ、好ましくは５００〜１２００ｄｔｅｘ、より好ましくは６００〜１０００ｄｔｅｘである。特に天然ゴムの場合は、０．１〜３ｍｍ、好ましくは０．５〜３ｍｍ、より好ましくは１〜３ｍｍである。
【００７１】
（腰部伸縮部材）
外装体４の腹側部分Ｆ及び背側部Ｂには、ウエスト部伸縮部材６ｇの下方において幅方向ＸＤに延在する腰部伸縮部材４ｇが備わる。この腰部伸縮部材４ｇは、外側シート４Ｂと内側シート４Ａとの間に介在されている。腰部伸縮部材４ｇは、幅方向ＸＤに伸長した状態でホットメルト等の接着剤によって外装シート４（外側シート４Ｂ及び／又は内側シート４Ａ）に固定されている。
【００７２】
腰部伸縮部材４ｇは、ウエスト部伸縮部材６ｇと上下方向ＺＤ（前後方向ＹＤ）に間隔をおいて単に並ぶだけであるとして、両者を明確に区別できないもとしてもよい。ただし、ウエスト部伸縮部材６ｇのみだけではなく、腰部伸縮部材４ｇも、上下方向ＺＤに関して、一対のサイドシール７間に位置させるのが好ましい。この腰部伸縮部材４ｇ及びウエスト部伸縮部材６ｇは、腰周りにおけるフィット性を高めるものであるが、後述するように、おむつが片手持ち装着に適するものとなるようにするための部材として機能させることができる。
【００７３】
腰部伸縮部材４ｇは、糸状、紐状、帯状等の細長状であり、上下方向ＺＤ（前後方向ＹＤ）に所定の間隔をおいた複数本で構成している。ただし、腰部伸縮部材４ｇは、１本で構成しても、複数本を束にして構成してもよい。腰部伸縮部材４ｇを複数本で構成する場合、その数は、例えば２〜１０本、好ましくは３〜８本、より好ましくは５〜８本である。また、上下方向ＺＤ（前後方向ＹＤ）に関する配置間隔（前記所定の間隔）は、例えば２〜１５ｍｍ、好ましくは４〜１０ｍｍ、より好ましくは４〜８ｍｍである。
【００７４】
腰部伸縮部材４ｇは、ギャザー伸縮部材５ｇで例示したのと同様の素材で構成することができる。腰部伸縮部材４ｇの太さは、例えば４００〜１５００ｄｔｅｘ、好ましくは５００〜１２００ｄｔｅｘ、より好ましくは６００〜１０００ｄｔｅｘである。特に天然ゴムの場合は、０．１〜３ｍｍ、好ましくは０．５〜３ｍｍ、より好ましくは１〜３ｍｍである。
【００７５】
（湾曲伸縮部材）
外装体４の腹側部分Ｆ及び背側部Ｂには、湾曲伸縮部材７ｇが備わる。この湾曲伸縮部材７ｇは、一方のサイドシール部７からその下方に位置する一方のレッグ開口部ＬＯの周縁に沿って股間部分Ｃに至り、当該股間部分Ｃを横断し、当該股間部分Ｃから他方のレッグ開口部ＬＯの周縁に沿ってその上方に位置する他方のサイドシール部７に至る湾曲形状をなしている。この湾曲伸縮部材７ｇは、脚周りにおけるフィット性を高めるものであるが、後述するように、おむつが片手持ち装着に適するものとなるようにするための部材として機能させることができる。
【００７６】
湾曲部伸縮部材７ｇは、糸状、紐状、帯状等の細長状であり、上下方向ＺＤ（前後方向ＹＤ）に所定の間隔をおいた相互に交差しない複数本で構成している。ただし、湾曲伸縮部材７ｇは、１本で構成しても、複数本を束にして構成してもよい。湾曲伸縮部材７ｇを複数本で構成する場合、その数は、腹側部分Ｆ及び背側部分Ｂそれぞれにおいて、例えば２〜１０本、好ましくは３〜８本、より好ましくは３〜６本である。また、上下方向ＺＤ（前後方向ＹＤ）に関する配置間隔（前記所定の間隔）は、例えば４〜２５ｍｍ、好ましくは６〜２０ｍｍ、より好ましくは８〜１５ｍｍである。
【００７７】
湾曲伸縮部材７ｇは、ギャザー伸縮部材５ｇで例示したのと同様の素材で構成することができる。湾曲伸縮部材７ｇの太さは、例えば４００〜１５００ｄｔｅｘ、好ましくは５００〜１２００ｄｔｅｘ、より好ましくは６００〜１０００ｄｔｅｘである。特に天然ゴムの場合は、０．１〜３ｍｍ、好ましくは０．５〜３ｍｍ、より好ましくは１〜３ｍｍである。
【００７８】
湾曲伸縮部材７ｇは、必要により、内装体１０と重なる部分において、複数の箇所で切断することができる。この切断により、湾曲伸縮部材７ｇの収縮力が内装体１０に作用しなくなり、内装体１０の不必要な縮こまりを防止することができる。ただし、後述するように、この切断を工夫することで、おむつを片手持ち装着に適するものとすることができる。なお、前述した腰部伸縮部材４ｇも内装体１０と重なる部分を複数の箇所で切断することができるが、本形態では採用していない。
【００７９】
湾曲伸縮部材７ｇを内装体１０上で切断し不連続化する方法としては、特開２００２−３５０２９号公報や、特開２００２−１７８４２８号公報、特開２００２-２７３８０８号公報に記載の切断方法を採用することができ、この切断方法は、引用により本明細書に取り込まれる。
【００８０】
腹側部分Ｆの湾曲伸縮部材７ｇ及び背側部分Ｂの湾曲伸縮部材７ｇは、相互に交差させることもできるが、相互に交差させない方が好ましい。この点は、片手持ち装着に係る構成であるので、後で詳説する。
【００８１】
湾曲伸縮部材７は、その全体が湾曲していなくてもよく、部分的に直線状の部分を有していてもよい。
【００８２】
（特徴的構造）
次に、以上のおむつについて、片手持ちを可能とするための構造について説明する。
図６に、一方のサイドシール７の上端部を軸支したことで、当該軸支部を中心におむつが傾いた場合（状態）を示した。図６の（１）が本形態例であり、図６の（２）が従来例である。本形態例においては、他方のサイドシール部７の外側端縁７ｙの水平面に対する傾き角αが、従来のおむつの場合の傾き角βよりも大きくなり、８０°以上、好ましくは８５°以上、より好ましくは９０°以上である。傾き角αが大きいと、ウエスト開口部ＷＯの水平方向の長さ（水平長さ）Ｄ３が長くなるため、ウエスト開口部ＷＯに脚を入れ易くなり、おむつの装着が容易になる。
【００８３】
ここで、傾き角αや傾き角βを規定する前提とする軸支とは、サイドシール部７の上端部（外側端縁７ｙから５ｍｍ、上端縁から５ｍｍ）に直径１ｍｍの針を刺し、おむつを回動自在に保持することを意味するものとする。
【００８４】
傾き角αを大きくするためには、例えば、図５に示すように、上下方向ＺＤに関して、質量中心Ｍが距離的中心Ｌ１よりも所定長Ｄ１下方に位置するようにおむつを設計するとよい。なお、質量中心Ｍとは、おむつの質量分布の平均的位置にある点である。また、距離的中心Ｌ１とは、製品状態にあるおむつの上端縁及び下端縁を結ぶ最短の線の中心である。
【００８５】
所定長Ｄ１は、例えば５０ｍｍ以上、好ましくは１００ｍｍ以上、より好ましくは１５０ｍｍ以上である。所定長Ｄ１が短くなると傾き角αは小さくなり、所定長Ｄ１が長くなると傾き角αは大きくなる。したがって、所定長Ｄ１を長くする、つまり、質量中心Ｍを可及的に下方に位置させることで、傾き角αが多くなり、片手持ち装着が容易なおむつになる。ただし、所定長Ｄ１を長くし過ぎると、おむつの全体バランスが崩れ、例えば、股間部分Ｃのフィット性が劣ることになる。
【００８６】
所定長Ｄ１を長くするためには、例えば、図７に示すように、湾曲伸縮部材７ｇが、製品状態にあるおむつの下端縁から１００ｍｍ以内の領域（上下方向ＹＤに関して、符号Ｄ５で示す範囲の領域。以下、「不存在領域」ともいう。）、好ましくは１５０ｍｍ以内の領域、より好ましくは２００ｍｍ以内の領域を通らないように設計するとよい。このように湾曲伸縮部材７ｇが不存在領域を通らないように設計すると、当該不存在領域に位置するおむつ下端部の上下方向ＺＤの収縮が抑えられ、おむつの質量中心Ｍが下方に位置するようになる。
【００８７】
このように湾曲伸縮部材７ｇの不存在領域を設ける場合においては、湾曲伸縮部材７ｇを、幅方向中心Ｌ２から両外方にそれぞれ１００ｍｍ以内の領域（幅方向ＸＤに関して、符号Ｄ６で示す範囲の領域。以下、「切断領域」ともいう。）、好ましくはそれぞれ１５０ｍｍ以内の領域、より好ましくはそれぞれ２００ｍｍ以内の領域において複数の箇所で切断するとより好ましいものとなる。この切断によっておむつの上下方向ＺＤの収縮が一段と抑えられ、おむつの質量中心Ｍがより下方に位置するようになる。また、この切断によって吸収体３の縮こまり等も防止される。
【００８８】
前述したように湾曲伸縮部材７ｇは延在方向に伸長した状態で外装体４に固定しているが、この固定は、上下方向ＺＤに関する伸長率（延在方向に関する伸長率とは異なる）が１００〜１２０％となるように行うのが好ましく、１００〜１１０％となるように行うのがより好ましく、１００〜１０５％となるように行うのが特に好ましい。湾曲伸縮部材７ｇの上下方向ＹＤに関する伸長率を１２０％以下にすることで、おむつの上下方向ＺＤの収縮が一段と抑えられ、おむつの質量中心Ｍがより下方に位置するようになる。
【００８９】
一方、図５に示すように、湾曲伸縮部材７ｇが不存在領域を通るように設計する場合においては、当該不存在領域において、つまり製品状態にあるおむつの下端縁から１００ｍｍ（好ましくは１５０ｍｍ、より好ましくは２００ｍｍ）以内の領域において、湾曲伸縮部材７ｇを複数の箇所で切断するとよい。この切断によっても、おむつの上下方向ＺＤの収縮が抑えられ、おむつの質量中心Ｍがより下方に位置するようになる。
【００９０】
以上のように湾曲伸縮部材７ｇの不存在領域を設けたり、湾曲伸縮部材７ｇを切断したりして質量中心Ｍを下方に位置させる場合は、前述した立体ギャザーの起立高さＤ２（図３参照）を通常より高くするのが好ましい。具体的には、起立高さＤ２を、好ましくは３０ｍｍ以上、より好ましくは４０ｍｍ以上、特に好ましくは５０ｍｍ以上とする。起立高さＤ２を高くすることで、尿等の体液が脚周りから漏れるのを確実に防止することができる。なお、起立高さＤ２の上限値は、例えば６０ｍｍである。
【００９１】
所定長Ｄ１を長くするためには、更に図８に示すように、吸収体３の幅が前後方向両端部３Ｂよりも前後方向中心部３Ａにおいて狭まり、吸収体３の目付けが前後方向両端部３Ｂよりも前後方向中心部３Ａにおいて増えるように設計してもよい。この場合、前後方向中心部３Ａの幅は、好ましくは８５〜１２０ｍｍ、より好ましくは８５〜１１０ｍｍ、特に好ましくは８５〜１００ｍｍである。また、前後方向両端部３Ｂの幅は、好ましくは１５０〜２００ｍｍ、より好ましくは１７０〜２００ｍｍ、特に好ましくは１９０〜２００ｍｍである。さらに、前後方向中心部３Ａの目付けは、好ましくは２００〜７００ｇ／ｍ2、より好ましくは２５０〜６５０ｇ／ｍ2、特に好ましくは３００〜６００ｇ／ｍ2である。また、前後方向両端部３Ｂの目付けは、好ましくは１００〜３５０ｇ／ｍ2、より好ましくは１２５〜３２５ｇ／ｍ2、特に好ましくは１５０〜３００ｇ／ｍ2である。製品状態のおむつにおいては、吸収体３の前後方向中心部３Ａよりも吸収体３の前後方向両端部３Ｂが、相対的に上側に位置する。逆に、吸収体３の前後方向両端部３Ｂよりも吸収体３の前後方向中心部３Ａが、相対的に下側に位置する。したがって、吸収体３の目付けが前後方向両端部３Ｂよりも前後方向中心部３Ａにおいて増えるように設計すると、おむつの質量中心Ｍがより下方に位置するようになる。
【００９２】
なお、前後方向中心部３Ａとは、吸収体３を前後方向に３等分した場合に、中心部に位置する部分を意味するものとする。また、前後方向両端部３Ｂとは、吸収体３を前後方向に３等分した場合に、前後端部に位置する部分を意味するものとする。そして、吸収体３の幅や目付は、各部分３Ａ，３Ｂにおける平均値を意味するものとする。
【００９３】
吸収体３の幅が前後方向両端部３Ｂよりも前後方向中心部３Ａにおいて狭まるように設計する場合においては、以上のように目付けを変化させることに替えて、図９に示すように、吸収体３の厚さが前後方向両端部３Ｂよりも前後方向中心部３Ａにおいて厚くなるように設計してもよい。この場合、前後方向中心部３Ａの厚さは、好ましくは２〜１６ｍｍ、より好ましくは２〜１２ｍｍ、特に好ましくは２〜８ｍｍである。また、前後方向両端部３Ｂの厚さは、好ましくは１〜８ｍｍ、より好ましくは１〜６ｍｍ、特に好ましくは１〜４ｍｍである。このように吸収体３の厚さが前後方向中心部３Ａにおいて厚くなるように設計しても、おむつの質量中心Ｍがより下方に位置するようになる。
【００９４】
吸収体３の厚さを厚くするにあたっては、吸収体３の前後方向中心部３Ａを、例えば、上層吸収体及び下層吸収体が積層された２層構造、又は３層以上の吸収体が積層された複数層構造とすること等が考えられる。
【００９５】
一方、所定長Ｄ１を長くするためには、図８の（２）に示すように、吸収体３の幅が、前後方向両端部３Ｂよりも前後方向中心部３Ａにおいて広くなるように設計してもよい。この場合、前後方向中心部３Ａの幅は、好ましくは１５０〜２００ｍｍ、より好ましくは１７０〜２００ｍｍ、特に好ましくは１９０〜２００ｍｍである。また、前後方向両端部３Ｂの幅は、好ましくは７５〜１００ｍｍ、より好ましくは８５〜１００ｍｍ、特に好ましくは９５〜１００ｍｍである。このように吸収体３の幅が前後方向中心部３Ａにおいて広くなるように設計しても、おむつの質量中心Ｍがより下方に位置するようになる。なお、この吸収体３の幅は、前述したように、各部分３Ａ，３Ｂにおける平均値を意味するものとする。
【００９６】
以上は、質量中心Ｍを下げるという観点からの設計であるが、おむつの装着を容易にする方法としては、おむつの形状を変化させるという設計方法もある。
すなわち、図５に示すように、一方のサイドシール部７の上端部よりも下端部が、所定の寸法Ｄ７だけ幅方向外方に位置するように設計する。また、これに替えて、又はこれと共に他方のサイドシール部７の上端部よりも下端部が、所定の寸法Ｄ７だけ幅方向外方に位置するように設計する。この形態によると、図６に示すように、ウエスト開口部ＷＯの真下に位置するサイドシール部７（以下、このウエスト開口部ＷＯの真下に位置するサイドシール部７を「足引掛り部」ともいう。）の幅方向の長さ（掛り長）Ｄ４が短くなる。この足引掛り部は、おむつを装着しようとウエスト開口部ＷＯから足を入れた際に足が引っ掛かる部位である。したがって、足引掛り部の幅方向の長さＤ４を短くすることでおむつの装着が容易になる。
【００９７】
所定の寸法Ｄ７は、好ましくは２０〜９０ｍｍ、より好ましくは３０〜９０ｍｍ、特に好ましくは４０〜９０ｍｍである。所定の寸法Ｄ７が短過ぎると、脚引掛り部の幅方向の長さＤ４を十分に短くすることができない。他方、所定の寸法Ｄ７が長過ぎることは、一方のサイドシール部７と他方のサイドシール部７との離間幅が、上端部において短過ぎ、又は下端部において長過ぎるとことを意味し、おむつのフィット性に問題が生じるおそれがある。
【００９８】
以上のように、サイドシール部７の上端部よりも下端部が幅方向外方に位置するようにする方法としては、図１に示すように、展開状態にある外装体４の腹側部分Ｆ及び背側部分Ｂの幅が股間部分Ｃに向かうにしたがって広くなるように設計する方法がある。つまり、外装体４の切出し（カット）形状を設計する方法である。
【００９９】
また、このような切出し形状の設計に替えて、又は共にウエスト部伸縮部材６ｇ及び腰部伸縮部材４ｇの伸長率を設計する方法がある。具体的には、ウエスト部伸縮部材６ｇの伸長率を、好ましくは２５５〜３３０％、より好ましくは２６５〜３１５％、特に好ましくは２７５〜３００％とする。また、腰部伸縮部材４ｇの伸長率を、好ましくは２００〜３００％、より好ましくは２００〜２７５％、特に好ましくは２００〜２５０％とする。このような伸長率とすることで、製品状態においては、サイドシール部７の上端部よりも下端部が幅方向外方に位置するようになる。ただし、ウエスト部伸縮部材６ｇの伸長率が高過ぎると、ウエスト開口部ＷＯが狭過ぎ、窮屈なおむつになるおそれがある。他方、腰部伸縮部材４ｇの伸長率が低過ぎると、レッグ開口部ＬＯにおけるフィット性に問題が生じるおそれがある。
【産業上の利用可能性】
【０１００】
本発明は、パンツタイプ使い捨ておむつとして、特に片手で装着が可能なパンツタイプ使い捨ておむつとして利用することができる。
【符号の説明】
【０１０１】
１…トップシート、２…バックシート、３…吸収体、３Ａ…前後方向中心部、３Ｂ…前後方向両端部、４…外装シート、４Ａ…内側シート、４Ｂ…外側シート、４ｇ…腰部伸縮部材、５…ギャザーシート、５ｇ…ギャザー伸縮部材、６…カバーシート、６ｇ…ウエスト部伸縮部材、７…サイドシール部、７ｇ…湾曲伸縮部材、７ｙ…外側端縁、１０…内装体、Ｂ…背側部分、Ｃ…股間部分、Ｄ１…所定長、Ｄ２…起立高さ、Ｄ３…水平長さ、Ｄ４…掛り長、Ｄ５…（不存在領域の長さ）、Ｄ６…切断領域、Ｄ７…所定の寸法、Ｆ…腹側部分、Ｌ１…距離的中心、Ｌ２…幅方向中心、ＬＯ…レッグ開口部、Ｍ…質量中心、ＲＧ…立体ギャザー、ＷＯ…ウエスト開口部、ＸＤ…幅方向、ＹＤ…前後方向、ＺＤ…上下方向、α…傾き角、β…傾き角。
【図１】
0006783046.tif 000002
【図２】
0006783046.tif 000003
【図３】
0006783046.tif 000004
【図４】
0006783046.tif 000005
【図５】
0006783046.tif 000006
【図６】
0006783046.tif 000007
【図７】
0006783046.tif 000008
【図８】
0006783046.tif 000009
【図９】
0006783046.tif 000010
【図１０】
0006783046.tif 000011
【図１１】
0006783046.tif 000012